(57)【要約】【課題】シールドされた電子機器が固定された状態で十分な耐振動衝撃性能を備えると共に、これを簡単に取り出すことができ、メンテナンスでの作業効率が良いキャビネット装置提供する。【解決手段】シールドケース１１で外部が保護された電子機器１０を筐体内に収容するキャビネット装置１において、前記電子機器を前記筐体の前面側で取り出すために設けた取り出し口３と、前記筐体の所定収納位置と前記取り出し口との間で前記電子機器１０を案内するガイド部材２０と、前記所定収納位置にある前記電子機器２０を前記ガイド部材に向けて与圧する与圧部材６とを備えている。【選択図】        図４
2004213817.tif 000002
【特許請求の範囲】
【請求項１】
シールドケースで外部が保護された電子機器を筐体内に収容するキャビネット装置において、
前記電子機器を前記筐体の前面側で取り出すために設けた取り出し口と、
前記筐体の所定収納位置と前記取り出し口との間で前記電子機器を案内するガイド部材と、
前記所定収納位置にある前記電子機器を前記ガイド部材に向けて与圧する与圧部材とを備えた、ことを特徴とするキャビネット装置。
【請求項２】
前記ガイド部材は、前記電子機器を前記取り出し口に導くための第１案内部と、前記所定収納位置で前記与圧手段により与圧を受けた前記電子機器を安定支持するための第２案内部とを含む、ことを特徴とする請求項１記載のキャビネット装置。
【請求項３】
前記電子機器は保持部材上に保持され、該保持部材が前記ガイド部材と係合する、ことを特徴とする請求項２記載のキャビネット装置。
【請求項４】
前記保持部材は、前記ガイド部材の第１案内部及び第２案内部のそれぞれに対応した第１係合部及び第２係合部を有している、ことを特徴とする請求項３記載のキャビネット装置。
【請求項５】
前記電子機器が前記所定収納位置にあるときに、前記保持部材を前記筐体の前面側で固定する固定手段をさらに備えている、ことを特徴とする請求項３または４に記載のキャビネット装置。
【請求項６】
前記取り出し口に開閉可能な蓋材を配置したことを特徴とする請求項１から５のいずれか一項に記載のキャビネット装置。
【請求項７】
前記与圧手段は、前記所定収納位置に位置した前記電子機器の後部を上方又は下方に付勢する弾性変形可能な板バネであることを特徴とする請求項１から５のいずれか一項に記載のキャビネット装置。
【請求項８】
前記電子機器が、記録ディスクドライブ装置である、ことを特徴とする請求項１から７のいずれか一項に記載のキャビネット装置。
【発明の詳細な説明】
【０００１】
【発明の属する技術分野】
本発明は、ハードディスクドライブ装置のようにシールドケースで外部が保護された電子機器を筐体内に収容しているキャビネット装置に関する。より詳細には、その前面側からハードディスクドライブ装置を取り付け、また取り外すことが容易にできる構造を備えたキャビネット装置に関する。
【０００２】
【従来の技術】
最近、例えばハードディスクドライブ装置（以下ＨＤＤと略す）を内蔵した、ビデオデッキ、ＢＧＭ演奏機、ＤＶＤプレーヤー等の各種電気製品が広く普及しつつある。ＨＤＤにプログラムやデータを記憶させておくことで、電気製品に数多くの機能を持たせることができる。このような電子製品は１つのキャビネット装置としてラックに取付けられる場合がある。このキャビネット装置に内蔵されたＨＤＤはシールドケースでハウジングされており、出荷時、筐体内部構造にネジ留めで固定される。例えば、ＨＤＤの前方及び後方の各々が計４箇所でネジ留めされる。
【０００３】
【発明が解決しようとする課題】
しかしながら、上記のように前後を複数のネジで固定した構造では、キャビネット装置の筐体内からＨＤＤを取り出すことが非常に煩雑である。特に、ラックに取付けられた状態にあるキャビネット装置の内部からＨＤＤを取り出すことは極めて煩瑣な作業となる。まず、ラックからキャビネット装置を取り出し、次に筐体の一部（例えば上カバー）を取り外してＨＤＤを露出させ後、複数箇所に設けられたネジを緩める。装置が小型化するにつれ空間的制約が大きくなり、ネジを緩める作業は次第に困難となる。
【０００４】
特に、ＨＤＤ後方にあるネジを緩める作業は煩雑である。ＨＤＤの取り外し作業はメンテナンスする頻度が上がるにつれ、深刻な問題となってきている。ＨＤＤの取り外し作業を容易に行えるように、ネジをＨＤＤの前面のみに設けることが考えられる。しかしながら、この手法ではＨＤＤ後方の固定が不完全となり、ＨＤＤを内蔵した状態で装置に振動や衝撃を加えると、ハードディスクの記録面やヘッドの破損に繋がる虞がある。より記録密度が高い光ディスク装置、光磁気ディスク装置等の電子機器が同様にキャビネット装置内に収容された場合についても同様の問題を生じる。
【０００５】
従って、本発明は上記従来技術の問題点を解決し、外部がシールドされた電子機器が固定された状態で十分な耐振動衝撃性能を備えると共に、これを簡単に取り出すことができ、メンテナンスでの作業効率が良いキャビネット装置を提供することを目的とする。
【０００６】
【課題を解決するための手段】
前記問題点を解決するために、本発明は請求項１に記載のように、シールドケースで外部が保護された電子機器を筐体内に収容するキャビネット装置において、
前記電子機器を前記筐体の前面側で取り出すために設けた取り出し口と、
前記筐体の所定収納位置と前記取り出し口との間で前記電子機器を案内するガイド部材と、
前記所定収納位置にある前記電子機器を前記ガイド部材に向けて与圧する与圧部材とを備えた構成を有する。
【０００７】
本発明によると、筐体の前面に取り出し口を有するので前面側から電子機器を取り出すことができる。また、ガイド部材を備えているので取り出し口から筐体内の所定収納位置まで電子機器を円滑に導くことができる。そして、この所定収納位置には電子機器を前記ガイド部材に向けて与圧する与圧部材が配置されているので、電子機器の後部側（筐体内部側）を確実に保持できる。よって、本発明によれば、メンテナンスの作業性に優れ、かつ耐振動衝撃性能も備えたキャビネット装置を提供できる。
【０００８】
本発明において、前記ガイド部材は、前記電子機器を前記取り出し口に導くための第１案内部と、前記所定収納位置で前記与圧手段により与圧を受けた電子機器を安定支持するための第２案内部とを含んで形成できる。このようなガイド部材であれば、電子機器の案内と所定収納位置での保持の両機能を果たす。
【０００９】
前記電子機器は保持部材上に保持され、該保持部材が前記ガイド部材と係合する構造を採用してもよい。電子機器のシールドケースを前記ガイド部材に直接、係合してもよいが、この構成のようにシールドケースを保持する保持部材（マウント）を用いてもよい。このようにマウントを用いると従来の電子機器の外形とくにシールドケースに殆ど変更を加えることなく、本発明を適用できるので好ましい。
【００１０】
また、前記保持部材は、前記ガイド部材の第１案内部及び第２案内部のそれぞれに対応した第１係合部及び第２係合部を有していることが好ましい。このような係合部を有していれば、マウントした電子機器を取り出し口まで搬送し、また所定収納位置で電子機器を安定に保持できる。また、前記電子機器が前記所定収納位置にあるときに、前記保持部材を前記筐体の前面側で固定する固定手段をさらに備えている構造がより好ましい。このような構造であれば、電子機器の前部側（取り出し口側）が確実に保持されるので耐振動衝撃性能が向上する。
【００１１】
なお、前記取り出し口に開閉可能な蓋材を配設した構造としてもよい。また、前記与圧手段は、前記所定収納位置に位置した前記電子機器の後部を上方又は下方に付勢する弾性変形可能な板バネで形成することができる。このような電子機器としてはハードディスクドライブ装置（ＨＤＤ）、光ディスク装置等の記録ディスクドライブ装置が含まれる。
【００１２】
【発明の実施の形態】
以下、本発明の実施形態を添付の図面を参照して説明する。図１は、本発明の一実施形態に係るキャビネット装置の外観を示した斜視図であり、図２及び図３は、同キャビネット装置に内蔵されているＨＤＤを取り出す様子を示した斜視図である。
【００１３】
図１に示すキャビネット装置１にはＨＤＤが内蔵されている。このＨＤＤは、キャビネット装置１の前面から次のようにして容易に取り外すことができるようになっている。図２に示すように、先ず内蔵されているＨＤＤ１０の前面を覆う蓋材であるフロントマスク２を取り外す。ＨＤＤ１０は、内部に磁気記録ディスク、磁気ヘッド、磁気記録ディスク及び磁気ヘッドを駆動する駆動部をシールドケース１１でハウジングした電子機器である。よって、図で示した場合にはＨＤＤ１０の外観としてシールドケース１１が確認される。フロントマスク２は、ボンネット等のメイン筐体にネジ止めされている。このネジ（図示を省略してある）を取り外すことで、フロントマスク２を取り外すことができる。フロントマスク２を取り外すと、ＨＤＤ１０の取り出し口３が現われる。
【００１４】
次に、図３に示すように前面側のネジ５を取り外すことができる。このネジ５は、ＨＤＤ１０の両側面に取付けられているＨＤＤマウント１３と一体に形成されている前面折り曲げ部分１３Ａに形成されたネジ孔を介して筐体内部構造にねじ込まれている。本装置では筐体内部構造はネジ孔を有するガイド２０であり、このガイド２０の前面に形成されている前面折り曲げ部分２０Ａにネジ５がねじ込まれて固定されている。すなわち、ネジ５はＨＤＤマウント１３で保持されるＨＤＤ１０の前面側を筐体内の一部であるガイド２０に固定する固定手段である。よって、このネジ５を取り外すことで、ＨＤＤ１０の前面側の固定状態が解除できる。
【００１５】
上記ガイド２０は、装置内部から取り出し口３まで敷設されたレール状の物体であり、ＨＤＤマウント１３の両側に離間して一対、形成されている。ＨＤＤ１０を保持しているＨＤＤマウント１３は、このガイド２０に対して摺動可能に形成されている。よって、フロントマスク２が取り外され、ネジ５が外されるとＨＤＤ１０の前方は開放された空間となり、ＨＤＤマウント１３に保持されたＨＤＤ１０を取り出し口３へ容易に引出すことができる。なお、フロントマスク２にはフック９が形成されている。このフック１９は、筐体内部に設けられた凸部８に取り外し可能に取付けられる。
【００１６】
図４は、図３におけるＡ−Ａ‘線での断面図である。同図に示すように、筐体内部には板バネ６が設けられている。この板バネ６は、ＨＤＤ１０がキャビネット装置内で所定収納位置、つまり前述したようにネジ５で固定される状態となる位置にＨＤＤ１０があるときに、ＨＤＤ１０を確実に位置決めするための与圧を発生させる部材である。本装置はガイド２０とＨＤＤマウント１３とが協働して、ＨＤＤ１０の取り出し口３まで案内し、また上記所定収納位置で安定に保持されるように作用する。その際に、この板バネ６が有効に機能する。更に図５および図６を参照して、この点の構成をより詳細に説明する。
【００１７】
図５および図６は、キャビネット装置１の内部構成、特にＨＤＤ１０周辺の構成を取り出して示した図である。図５はＨＤＤ１０が取り出し口３からＳＬの長さ引出されている状態を示した図であり、（Ａ）はＨＤＤ１０を上から見た図、（Ｂ）は（Ａ）でのＸ−Ｘ‘線断面図である。また、図６はＨＤＤ１０が所定収納位置にある状態を示した図で、（Ａ）はＨＤＤ１０を上から見た図、（Ｂ）は（Ａ）でのＸ−Ｘ‘線断面図である。
【００１８】
図５（Ｂ）および図６（Ｂ）に示されるようにガイド２０は、頂端部を内側に折り曲げて略全長に延在させた第１レール（第１案内部）２１と、この第１レールよりも低い位置で上記所定収納位置の近辺の部材のみを内側に折り曲げて設けた第２レール（第２案内部）２２とを有している。また、ＨＤＤマウント１３には、ガイド２０側の上記第１レール２１に対応する第１係合部１４および上記第２レール２２に対応する第２係合部１５が外側に折り曲げられて形成されている。
上記第１係合部１４は第１レール２１の上、上記第２係合部１５は第２レール２２の下から接触する。ただし、第１係合部１４が第１レール２１上にあるときには第２係合部１５は第２レール２２から離間し、その逆に第２係合部１５が第２レール２２に接触したときには第１係合部１４は第１レール２１の上方に離間するように設計されている（ＣＡ参照）。
【００１９】
上記構成では、図５で示す場合のように、ＨＤＤ１０を取り出し口３に向け引き出す際には、ＨＤＤマウント１３の第１係合部１４が第１レール２１上を摺動する。よって、ＨＤＤ１０はガイド２０に沿って円滑に取り出し口３まで案内される。そして、ＨＤＤ１０は装置内部側へこれと同様に戻すことができる。このようにＨＤＤ１０を取り出すときに、第２係合部１５は第２レール２２と接触していない。また、板バネ６による与圧も取り出し口３へ向かうＨＤＤ１０には殆ど作用しないように配置されている。
【００２０】
図５とは異なり、図６はＨＤＤ１０が所定収納位置にある状態を示している。このとき、取り出し口３側ではＨＤＤマウント１３の折り曲げ部分１３Ａが、ガイド２０の折り曲げ部分２０Ａとちょうど重なり、ネジ５で固定される。上記第２レール２２および第２係合部１５並びに板バネ６は、この図６に示す状態のときに機能している。すなわち、板バネ６はＨＤＤ１０が所定収納位置にあるとき、弾性変形して下からＨＤＤ１０の底部を押し上げる。これにより、ＨＤＤ１０に固定されているＨＤＤマウント１３も上方に移動するので、第２係合部１５が下側から第２レール２２に押付けられる（ＣＡ参照）。このように板バネ６の与圧により、ＨＤＤ１０の後部側も確実に位置決め固定される。なお、図６の状態のときには、第１係合部１４は第１レール２１の上方に離間した状態となっている。
【００２１】
従来においてはネジを用いてＨＤＤの後部側（装置内部側）を固定したのであるが、本装置１の場合は板バネ６を用いてＨＤＤ１０を押し上げてガイド部材２０に押付けることで上下方向での位置を固定する。また、このときに前面側はネジ５で固定されているので、本キャビネット装置に収納されたＨＤＤ１０は全ての方向で確実に支持されることになる。よって、耐振動衝撃性能に優れた構造が実現されている。また、従来のようにネジの締め付け、緩め作業が困難な後部側でネジを用いていないので、手前に簡単に引出すことができ、保守作業時でのメンテナンス性が著しく向上した構造となる。
【００２２】
以上、本発明の一実施形態を説明したが、本発明は上記実施の形態に限定されるものではなく、本発明の要旨の範囲内において種々の変形実施が可能である。上記板バネ６は下に設置して上に向け与圧を与える場合だけでなく、上側に設置して下に向けて与圧を与えるようにした構造とすることもできる。また、与圧手段はＨＤＤを所定収納位置に確実にセットできる部材であれば良く板バネに限定するものでない。例えば、与圧する手段としては、板バネ６に限定されるものではなく、コイルバネやブロック状の弾性体を用いてもよい。
【００２３】
また、上記実施形態ではガイドが第１、第２案内部を有し、保持部材となるＨＤＤマウント１３がこれに対応する第１、第２の係合部を備えている。しかし、保持部材となるＨＤＤマウントとガイドの関係はこのような構成に限定されるものではない。例えばガイドが略コ字状の断面を有するレール状に形成され、その空間内に保持部材が臨むように配置されて上下に移動してガイドに接するような構造でもよい。
【００２４】
また、上記実施形態ではＨＤＤマウント１３がガイドに係合する構成であるが、これに限らずＨＤＤ１０のシールドケース１１の外形を変更して、ガイド２０に係合するようにしてもよい。また、キャビネット装置１に収納されるのはＨＤＤ１０に限定されるものではなく、光ディスクドライブなど、シールドケースでハウジングされた他の記憶ディスク装置等の電子機器であってもよい。
【００２５】
【発明の効果】
以上説明した本発明によれば、筐体の前面に取り出し口を有するので前面側から電子機器を取り出すことができる。また、ガイド部材を備えているので取り出し口から筐体内の所定収納位置まで電子機器を円滑に導くことができる。そして、この所定収納位置には電子機器を前記ガイド部材に向けて与圧する与圧部材が配置されているので、電子機器の筐体内部側も確実に保持できる。よって、本発明によれば、メンテナンスの作業性に優れ、かつ耐振動衝撃性能も備えたキャビネット装置を提供できる。
【図面の簡単な説明】
【図１】本発明の一実施の形態に係るキャビネット装置の外観を示す斜視図である。
【図２】本実施の形態に係るキャビネット装置内蔵のＨＤＤを取り出す様子を示す斜視図である。
【図３】本実施の形態に係るキャビネット装置内蔵のＨＤＤを取り出す様子を示す斜視図である。
【図４】図３のＡ−Ａ‘線断面図である。
【図５】引出されている状態のＨＤＤ周辺の構成を取り出して示した図で、（Ａ）はＨＤＤを上から見た図、（Ｂ）は（Ａ）でのＸ−Ｘ‘線断面である。
【図６】所定収納位置にあるＨＤＤ周辺の構成を取り出して示した図で、（Ａ）はＨＤＤを上から見た図、（Ｂ）は（Ａ）でのＸ−Ｘ‘線断面である。
【符号の説明】
１          キャビネット装置
２          フロントマスク（蓋材）
３          取り出し口
５          ネジ（固定手段）
６          板バネ（与圧手段）
１０        ＨＤＤ（電子機器）
１１        シールドケース
１３        ＨＤＤマウント（保持部材）
１４        第１係合部
１５        第２係合部
２０        ガイド（ガイド部材）
２１        第１レール（第１案内部）
２２        第２レール（第２案内部）
【図１】
2004213817.tif 000003
【図２】
2004213817.tif 000004
【図３】
2004213817.tif 000005
【図４】
2004213817.tif 000006
【図５】
2004213817.tif 000007
【図６】
2004213817.tif 000008